(57)【要約】【課題】  利用者が乗車券媒体として使用している記録媒体に記録されている情報を効率良く登録できる駅務機器を提供する。【解決手段】  実施形態によれば、駅務機器は、読取手段と、判断手段と、第１の処理手段と、第２の処理手段と、送信手段とを有する。判断手段は、乗車券媒体の情報がデータベースに登録済みであるか否かを判断する。前記乗車券媒体の情報が前記データベースに登録済みであると判断した場合、第１の処理手段は、前記乗車券媒体から読み取った識別情報を処理サーバへ送信した後、前記処理サーバから取得する処理結果に基づいて駅務処理を行う。前記乗車券媒体の情報が前記データベースに登録済みでないと判断した場合、第２の処理手段は、前記読取手段が前記乗車券媒体から読み取る駅務処理に必要な情報に基づいて駅務処理を行い、送信手段は、前記乗車券媒体に記録されている情報を前記データベースに登録する登録情報として処理サーバへ送信する。【選択図】図３
2018025867.tif 000002
【特許請求の範囲】
【請求項１】
利用者が所持する乗車券媒体に記録されている情報のうち少なくとも識別情報を読み取る読取手段と、
前記読取手段が識別情報を読み取った前記乗車券媒体の情報がデータベースに登録済みであるか否かを判断する判断手段と、
前記判断手段により前記乗車券媒体の情報が前記データベースに登録済みであると判断した場合、前記乗車券媒体から読み取った識別情報を処理サーバへ送信した後、前記処理サーバから取得する処理結果に基づいて駅務処理を行う第１の処理手段と、
前記判断手段により前記乗車券媒体の情報が前記データベースに登録済みでないと判断した場合、前記読取手段が前記乗車券媒体から読み取る駅務処理に必要な情報に基づいて駅務処理を行う第２の処理手段と、
前記判断手段により前記乗車券媒体の情報が前記データベースに登録済みでないと判断した場合、前記乗車券媒体に記録されている情報を前記データベースに登録する登録情報として処理サーバへ送信する送信手段と、
を有する駅務機器。
【請求項２】
前記送信手段は、前記第２の処理手段による処理が終了した後、前記第２の処理手段による処理結果とともに前記登録情報を前記処理サーバへ送信する、
請求項１に記載の駅務機器。
【請求項３】
前記読取手段は、さらに、前記乗車券媒体から前記データベースへの情報の登録済みを示す登録フラグを読取り、
前記判断手段は、前記読取手段が前記乗車券媒体から読み取る登録フラグがオンであれば、前記乗車券媒体が記録している情報が前記データベースに登録済みであると判断する、
請求項１又は２の何れか１項に記載の駅務機器。
【請求項４】
さらに、前記乗車券媒体に記録されている情報の前記データベースへの登録が完了したことを確認する確認手段と、
前記確認手段により前記データベースへの登録が完了したことを確認した場合、前記乗車券媒体における前記登録フラグをオンに書き換える書込み手段と、を有する、
請求項３に記載の駅務機器。
【請求項５】
前記確認手段は、前記データベースへの登録が完了した乗車券媒体の識別情報を保持する外部装置に、前記読取手段により前記乗車券媒体から読み取った識別情報と前記データベースへの登録が完了した乗車券媒体の識別情報との照合を依頼し、前記外部装置からの照合結果に基づいて前記乗車券媒体に記録されている情報の前記データベースへの登録が完了したことを確認する、
請求項４に記載の駅務機器。
【請求項６】
さらに、前記データベースへの情報の登録を行う条件情報を記憶する記憶手段と、
さらに、前記記憶手段に記憶する前記条件情報に基づいて前記乗車券媒体に記録されている情報を前記データベースに登録するか否かを判定する判定手段を有し、
前記送信手段は、前記判定手段により登録すると判定した場合に、前記登録情報を前記処理サーバへ送信する、
請求項１乃至５の何れか１項に記載の駅務機器。
【請求項７】
利用者が所持する乗車券媒体に記録されている情報のうち少なくとも識別情報を読み取る読取手段と、
前記読取手段が識別情報を読み取った前記乗車券媒体の情報がデータベースに登録済みであるか否かを判断する判断手段と、
前記判断手段により前記乗車券媒体の情報が前記データベースに登録済みであると判断した場合、前記乗車券媒体から読み取った識別情報を処理サーバへ送信した後、前記処理サーバから取得する処理結果に基づいて前記利用者に対する改札処理を行う第１の処理手段と、
前記判断手段により前記乗車券媒体の情報が前記データベースに登録済みでないと判断した場合、前記読取手段が前記乗車券媒体から読み取る駅務処理に必要な情報に基づいて前記利用者に対する改札処理を行う第２の処理手段と、
前記判断手段により前記乗車券媒体の情報が前記データベースに登録済みでないと判断した場合、前記乗車券媒体に記録されている情報を前記データベースに登録する登録情報として処理サーバへ送信する送信手段と、
を有する自動改札機。
【請求項８】
前記送信手段は、前記第２の処理手段による改札処理が終了した後、前記第２の処理手段による改札処理の結果とともに前記登録情報を前記処理サーバへ送信する、
請求項７に記載の自動改札機。
【請求項９】
前記読取手段は、さらに、前記乗車券媒体から前記データベースへの情報の登録済みを示す登録フラグを読取り、
前記判断手段は、前記読取手段が前記乗車券媒体から読み取る登録フラグがオンであれば、前記乗車券媒体が記録している情報が前記データベースに登録済みであると判断する、
請求項７又は８の何れか１項に記載の自動改札機。
【請求項１０】
さらに、前記乗車券媒体に記録されている情報の前記データベースへの登録が完了したことを確認する確認手段と、
前記確認手段により前記データベースへの登録が完了したことを確認した場合、前記乗車券媒体における前記登録フラグをオンに書き換える書込み手段と、を有する、
請求項９に記載の自動改札機。
【請求項１１】
前記確認手段は、前記データベースへの登録が完了した乗車券媒体の識別情報を保持する外部装置に、前記読取手段により前記乗車券媒体から読み取った識別情報と前記データベースへの登録が完了した乗車券媒体の識別情報との照合を依頼し、前記外部装置からの照合結果に基づいて前記乗車券媒体に記録されている情報の前記データベースへの登録が完了したことを確認する、
請求項１０に記載の自動改札機。
【請求項１２】
さらに、前記データベースへの情報の登録を行う条件情報を記憶する記憶手段と、
さらに、前記記憶手段に記憶する前記条件情報に基づいて前記乗車券媒体に記録されている情報を前記データベースに登録するか否かを判定する判定手段を有し、
前記送信手段は、前記判定手段により登録すると判定した場合に、前記登録情報を前記処理サーバへ送信する、
請求項７乃至１１の何れか１項に記載の自動改札機。
【請求項１３】
駅務機器とデータベースにアクセス可能な処理サーバとを含む駅務システムにおいて、
前記駅務機器は、
前記処理サーバと通信する第１の通信手段と、
利用者が所持する乗車券媒体に記録されている情報のうち少なくとも識別情報を読み取る読取手段と、
前記読取手段が識別情報を読み取った前記乗車券媒体の情報がデータベースに登録済みであるか否かを判断する判断手段と、
前記判断手段により前記乗車券媒体の情報が前記データベースに登録済みであると判断した場合、前記乗車券媒体から読み取った識別情報を前記第１の通信手段により前記処理サーバへ送信した後、前記第１の通信手段により前記処理サーバから受信する処理結果に基づいて駅務処理を行う第１の処理手段と、
前記判断手段により前記乗車券媒体の情報が前記データベースに登録済みでないと判断した場合、前記読取手段が前記乗車券媒体から読み取る駅務処理に必要な情報に基づいて駅務処理を行う第２の処理手段と、
前記判断手段により前記乗車券媒体の情報が前記データベースに登録済みでないと判断した場合、前記乗車券媒体に記録されている情報を前記データベースに登録する登録情報として前記第１の通信手段により前記処理サーバへ送信する送信手段と、
前記処理サーバは、
前記駅務機器と通信する第２の通信手段と、
前記第２の通信手段により前記駅務機器から乗車券媒体の識別情報を受信した場合、受信した識別情報に対応する情報をデータベースから取得し、前記データベースから取得した情報に基づく処理結果を前記駅務機器へ応答する応答処理手段と、
前記第２の通信手段により前記駅務機器から登録情報を受信した場合、受信した登録情報を前記データベースに登録する登録処理手段と、を有する、
を有する駅務システム。
【請求項１４】
コンピュータに、
駅務機器から乗車券媒体の識別情報を受信した場合、受信した識別情報に対応する情報をデータベースから取得する機能と、
前記識別情報に対応する情報として前記データベースから取得した情報に基づく処理を実行し、実行した処理の結果を示す情報を前記駅務機器へ応答する機能と、
前記駅務機器から登録情報を受信した場合、受信した登録情報を前記データベースに登録する機能と、
を実行させるためのデータ処理プログラム。
【発明の詳細な説明】
【技術分野】
【０００１】
本発明の実施形態は、駅務機器、自動改札機、駅務システム、及びデータ処理プログラムに関する。
【背景技術】
【０００２】
従来、鉄道の駅などに設置される自動改札機、券売機、精算機などの駅務機器は、利用者が提示する乗車券媒体に記録されている情報を用いて駅務処理を実行する。近年、駅務機器が実行すべき駅務処理の一部を上位サーバで実施する駅務システムが提案されている。上位サーバが駅務処理の一部を実施する駅務システムでは、上位サーバ側で乗車券媒体に記録されている乗車券情報などの情報を保持する必要があり、このような情報を上位サーバに移行するためには多額の導入コストや多くの手間がかかることが想定されるという問題がある。
【先行技術文献】
【特許文献】
【０００３】
【特許文献１】特開２０１１−８５８８号公報
【発明の概要】
【発明が解決しようとする課題】
【０００４】
上記の課題を解決するために、本発明は、利用者が乗車券媒体として使用している記憶媒体に記録されている情報を効率良く登録できる駅務機器、自動改札機、駅務システム、及びデータ処理プログラムを提供することを目的とする。
【課題を解決するための手段】
【０００５】
実施形態によれば、駅務機器は、読取手段と、判断手段と、第１の処理手段と、第２の処理手段と、送信手段とを有する。判断手段は、乗車券媒体の情報がデータベースに登録済みであるか否かを判断する。前記乗車券媒体の情報が前記データベースに登録済みであると判断した場合、第１の処理手段は、前記乗車券媒体から読み取った識別情報を処理サーバへ送信した後、前記処理サーバから取得する処理結果に基づいて駅務処理を行う。前記乗車券媒体の情報が前記データベースに登録済みでないと判断した場合、第２の処理手段は、前記読取手段が前記乗車券媒体から読み取る駅務処理に必要な情報に基づいて駅務処理を行い、送信手段は、前記乗車券媒体に記録されている情報を前記データベースに登録する登録情報として処理サーバへ送信する。
【図面の簡単な説明】
【０００６】
【図１】図１は、実施形態に係る駅務システム全体の構成例を概略的に示す図である。
【図２】図２は、実施形態に係る処理サーバ及びデータサーバの構成例を示すブロック図である。
【図３】図３は、実施形態に係る自動改札機の構成例を示すブロック図である。
【図４】図４は、実施形態に係る監視盤の構成例を示すブロック図である。
【図５】図５は、実施形態に係る券売機、定期券発行機、精算機、窓口処理機などの駅務機器としての構成例を示す図である。
【図６】図６は、実施形態に係る駅務機器の第１の動作例を説明するためのフローチャートである。
【図７】図７は、実施形態に係る処理サーバの第１の動作例を説明するためのフローチャートである。
【図８】図８は、実施形態に係る駅務機器の第２の動作例を説明するためのフローチャートである。
【図９】図９は、実施形態に係る処理サーバの第２の動作例を説明するためのフローチャートである。
【発明を実施するための形態】
【０００７】
以下、実施の形態について、図面を参照して説明する。  
図１は、実施の形態に係る駅務システムの全体構成を概略的に示す図である。  
駅務システムは、鉄道などの交通機関における種々の駅務処理を行う種々の駅務機器から構成されるシステムである。この駅務システムでは、利用者が乗車券等として利用するＩＣカードなどの記録媒体（乗車券媒体）を用いて駅務処理を行う。例えば、駅務システムでは、利用者が所持する乗車券媒体を用いて運賃などの利用料金を精算することにより鉄道などの交通機関の利用を可能とするものである。
【０００８】
駅務システムで利用可能な乗車券媒体としては、駅務機器が読取り可能な乗車券情報などの駅務処理に必要な情報を記録した記録媒体であれば良い。例えば、乗車券媒体としては、非接触通信により情報の送受信を行う非接触式ＩＣカード、磁気記録部に情報が記録される磁気式の記録媒体（磁気券）、ＱＲコード（登録商標）などのコード化した情報を記録（印刷又は表示）する記録媒体、非接触ＩＣカードと同様な機能を有する携帯電話機などのモバイル端末、或は、ＱＲコード（登録商標）などのコード化した情報を表示するモバイル端末などがある。本実施形態に係る駅務システムは、乗車券媒体が特定の記録媒体である場合の運用に限定するものではないが、以下の説明では、乗車券媒体が非接触式ＩＣカード（以下、単に、ＩＣカードと称する）である場合を想定するものとする。
【０００９】
乗車券媒体としてのＩＣカードＣは、プロセッサ、メモリ、インターフェースなどを有するＩＣモジュールを有する。ＩＣカードＣのメモリは、乗車券情報或は処理履歴情報などの駅務処理に必要な情報を記憶領域Ｃａと後述する登録フラグを記憶する記憶領域Ｃｂとを有する。記憶領域Ｃａは、少なくても識別情報（ＩＤi）を記憶する記憶領域を含む。また、記憶領域Ｃａは、駅務機器の機種ごとに、情報を記憶する記憶領域を設定しても良い。記憶領域Ｃｂは、後述する登録フラグを記憶する。登録フラグは、１つであっても良いし、駅務機器の機種ごとに複数の登録フラグであっても良い。登録フラグが複数である場合、記憶領域Ｃｂは、駅務機器の各機種に対応する複数の登録フラグの記憶領域が設定される。
【００１０】
利用者が所持するＩＣカードＣは、定期券、ストアードフェア（ＳＦ）カード（電子マネー）、あるいは、定期券とＳＦカードとの両方の機能を有する乗車券媒体として利用される。本実施形態において、乗車券媒体として利用可能なＩＣカードＣは、少なくとも個々のＩＣカードを識別可能な識別情報（ＩＤｉ）が記憶される。各駅務機器は、ＩＣカードＣから少なくともＩＤｉを読取って駅務処理を実行する。本実施形態に係る駅務システムの各駅務機器は、処理サーバへ少なくとも一部の処理（例えば、判定処理）を依頼し、処理サーバでの処理結果を用いて駅務処理を行う機能（第１の運用）と、処理サーバへの処理依頼無しで、ＩＣカードＣに記憶されている情報に基づいて駅務処理を実行する機能（第２の運用）とを有する。
【００１１】
第１の運用として、例えば、自動改札機３は、利用者が提示するＩＣカードＣから読み取ったＩＤｉによる通行の可否判定を処理サーバに依頼し、処理サーバからの判定結果に基づいて当該利用者の通行を制御する。この場合、処理サーバは、自動改札機から受信するＩＣカードＣのＩＤiに基づいてデータサーバからＩＤｉに対応する情報を取得し、取得した情報に基づいて通行の可否を判定し、その判定結果を自動改札機へ供給する。
【００１２】
また、第２の運用として、自動改札機３は、処理サーバへの処理依頼無しで、ＩＣカードＣに記憶されている情報に基づいて通行の可否を判定し、その判定結果に基づいて利用者の通行を制御する。第２の運用としてのＩＣカードＣが記憶している情報に基づく駅務処理とともに、駅務機器は、ＩＣカードＣに記憶されている情報の登録を処理サーバへ依頼する機能を有する。この機能に対応して、処理サーバは、第２の運用で駅務システムを運用中に、各駅務機器からＩＣカードＣに記憶されている情報のデータサーバへの登録依頼を受け付け、受け付けた登録処理を実行する。このような情報の登録が完了したＩＣカードＣに対しては、第２の運用による処理が実行可能となる。
【００１３】
次に、駅務システムにおける各機器の構成について説明する。  
図１に示すように、駅務システムは、処理サーバ１、データサーバ２、自動改札機３、監視盤４、券売機５、定期券発行機６、精算機７、および、窓口処理機８などを有する。自動改札機３、券売機５、定期券発行機６、精算機７および窓口処理機８は、ＩＣカードを処理する機能を有する駅務機器である。例えば、自動改札機３は、監視盤４およびネットワークを介して処理サーバ１に接続される。また、券売機５、定期券発行機６、精算機７、および、窓口処理機８などの駅務機器も、ネットワークを介して処理サーバ１に接続される。また、処理サーバ１は、データサーバ２に接続される。
【００１４】
処理サーバ１は、データ処理用のサーバであり、例えば、汎用のサーバ装置により構成される。処理サーバ１は、データサーバ２および各駅務機器に通信接続される。すなわち、処理サーバ１は、データサーバ２に接続される。処理サーバ１は、ネットワークおよび監視盤４を介して各駅の自動改札機３に接続される。また、処理サーバ１は、ネットワークを介して、券売機５、定期券発行機６、精算機７、及び窓口処理機８などの各駅務機器に接続される。
【００１５】
処理サーバ１は、各駅務機器からの処理依頼に応じて処理を実行し、その処理結果を駅務機器へ返す機能を有する。例えば、処理サーバ１は、自動改札機３からＩＣカードＣのＩＤｉと判定環境情報を受信し、受信したＩＤｉに対応する情報をデータサーバ２から取得し、ＩＤｉに対応する情報と判定環境情報とにより通行判定などの処理を実行し、その処理結果を自動改札機３へ返す。また、処理サーバ１は、駅務機器からＩＣカードＣが記憶している情報を取得し、取得したＩＣカードＣが記憶している情報をデータサーバ２に記憶（登録）する機能も有する。
【００１６】
データサーバ２は、データを記憶するデータベースとして機能するサーバである。データサーバ２は、大容量の記憶装置を有する汎用のサーバ装置により構成される。データサーバ２は、利用者が所持するＩＣカードＣの識別情報（発行済みのＩＣカードに記録されるＩＤｉ）に対応づけて、駅務処理に必要な情報を保持するデータベースを有する。また、データサーバ２は、処理サーバ１から供給される登録情報をデータベースに記憶する。また、データサーバ２は、処理サーバ１および各駅務機器が実行した駅務処理の処理結果などもデータベースに随時記録することにより、最新の駅務情報を保持する。
【００１７】
自動改札機３は、駅務機器の１つである。自動改札機３は、利用者が提示するＩＣカードＣに応じて改札処理（入場処理、又は出場処理）を行う。自動改札機３は、処理サーバ１と通信する機能を有する。図１に示す構成例では、自動改札機３は、監視盤４を介して処理サーバ１と通信する。自動改札機３は、ＩＣカードＣから読み取った情報を処理サーバ１へ送信し、処理サーバ１から得られる通行判定結果に応じて通行制御する機能（第１の処理手段）を有する。また、自動改札機３は、処理サーバ１を介さずに、ＩＣカードＣから読み取った情報により通行判定し、その判定結果により通行制御する機能（第２の処理手段）も有する。
【００１８】
監視盤４は、各駅（又は各改札口）に設置されている自動改札機３に接続される。また、監視盤４は、ネットワークを介して処理サーバ１に接続する。処理サーバ１と各自動改札機３とは、監視盤４を介してデータ通信を行う。監視盤４は、接続される各自動改札機３の動作状態を監視し、各自動改札機３に対して遠隔で動作指示を供給する。また、監視盤４は、処理サーバ１から供給される情報を各自動改札機３へ配信する機能を有する。また、監視盤４は、処理サーバ１から受信した情報を保持しておき、各自動改札機３からの問合せに対して保持した情報に基づく処理の結果を応答するようにしても良い。例えば、監視盤４は、ＩＤｉチェック処理を実行するために、処理サーバ１から配信される、データサーバ２への情報の登録が完了した乗車券媒体の識別情報（ＩＤｉ）を保持する外部装置として機能する。
【００１９】
券売機５、定期券発行機６、精算機７および窓口処理機８などの駅務機器は、ＩＣカード処理機としての機能を有する。すなわち、各駅務機器は、利用者が所持するＩＣカードに対する処理（情報の読取、情報の書込など）を実行する機能と処理サーバ１と通信する機能とを有する。  
券売機５は、ＩＣカードＣにＳＦカードとして利用可能な金額（電子マネー）をチャージする機能を有する。例えば、券売機５は、利用者から受領した金額が電子マネーとして利用可能なＩＣカードＣを新規に発行したり、利用者から受領した金額分を当該利用者が所持しているＩＣカードＣに電子マネーとして加算（チャージ）したりする。なお、駅務システムが磁気券の併用可能な運用であれば、券売機５は、ＩＣカードＣのＳＦカード機能により磁気券を発券するようにしても良い。
【００２０】
定期券発行機６は、ＩＣカードＣを定期券として利用可能とする処理（定期券の発行処理）を行う。例えば、定期券発行機は、利用者から金額を受領して、定期券として利用可能なＩＣカードＣを新規に発券したり、既に定期券として利用されているＩＣカードＣを継続定期券として利用可能としたりする。  
精算機７は、ＩＣカードＣに対して運賃等の精算処理を行う機能、および、ＩＣカードＣに金額をチャージする機能を有する。  
窓口処理機８は、たとえば、各駅の係員窓口内に設置される。窓口処理機８は、利用者からの申し出に応じた駅係員の操作によってＩＣカードＣに対する処理を行う。
【００２１】
次に、処理サーバ１及びデータサーバ２の構成について説明する。  
図２は、処理サーバ１及びデータサーバ２の構成例を概略的に示すブロック図である。  
図２に示すように、処理サーバ１は、プロセッサ１１、ＲＯＭ１２、ＲＡＭ１３、記憶部１４、第１通信部１５、および、第２通信部１６などを有する。処理サーバ１は、インストールされるプログラムが実行可能なコンピュータであり、汎用のサーバにより構成される。
【００２２】
プロセッサ１１は、データサーバ２全体の制御を司る。プロセッサ１１は、例えば、ＣＰＵである。プロセッサ１１は、ＲＯＭ１２あるいは記憶部１４に記憶されている種々のプログラムに基づいて動作することにより種々の機能を実現する。ＲＯＭ１２は、予めプログラムおよび制御データなどが記憶されている不揮発性のメモリである。例えば、ＲＯＭ１２は、プログラムメモリとして機能する。ＲＡＭ１３は、ワーキングメモリとして機能する揮発性のメモリである。ＲＡＭ１３は、プロセッサ１１が処理中のデータなどを一時保管するバッファメモリとして機能する。また、ＲＡＭ１３は、第１通信部１５及び第２通信部１６が送受信するデータを一時的に記憶するためのバッファとしても機能する。
【００２３】
記憶部１４は、書き換えが可能な不揮発性のメモリである。記憶部１４は、例えば、ＨＤＤ、ＳＳＤ、ＥＥＰＲＯＭ（登録商標）、フラッシュＲＯＭなどのデータの書き込み及び書き換えが可能な不揮発性のメモリにより構成される。記憶部１４は、プログラム、制御データ、及び設定情報などを記憶する。例えば、処理サーバ１のプロセッサ１１が後述するＩＤｉチェック処理を実行する場合、記憶部１４は、データサーバ２への情報の登録が完了したＩＣカードのＩＤｉを記憶する。
【００２４】
第１通信部１５は、ネットワークを介して各駅務機器（自動改札機、監視盤、券売機、定期券発行機、精算機、窓口処理機等）とデータ通信を行うための通信インターフェースである。第２通信部１６は、データサーバ２とデータ通信を行うための通信インターフェースである。第２通信部１６は、データサーバ２と通信可能なインターフェースであれば良く、例えば、ネットワークを介してデータサーバ２と通信するようにしても良い。この場合、第１通信部１５及び第２通信部１６は、１つの通信インターフェースにより構成しても良い。
【００２５】
また、図２に示す構成例によれば、データサーバ２は、プロセッサ２１、ＲＯＭ２２、ＲＡＭ２３、記憶部２４、および、通信部２５などを有する。  
プロセッサ２１は、データサーバ２全体の制御を司る。プロセッサ２１は、例えば、ＣＰＵである。プロセッサ２１は、ＲＯＭ２２あるいは記憶部２４に記憶されている種々のプログラムに基づいて動作することにより種々の機能を実現する。ＲＯＭ２２は、予めプログラムおよび制御データなどが記憶されている不揮発性のメモリである。例えば、ＲＯＭ２２は、プログラムメモリとして機能する。ＲＡＭ２３は、ワーキングメモリとして機能する揮発性のメモリである。ＲＡＭ２３は、プロセッサ２１が処理中のデータなどを一時保管するバッファメモリとして機能する。また、ＲＡＭ２３は、通信部２５が送受信するデータを一時的に記憶するためのバッファとしても機能する。
【００２６】
記憶部２４は、書き換えが可能な不揮発性のメモリである。記憶部２４は、例えば、ＨＤＤ、ＳＳＤ、ＥＥＰＲＯＭ、フラッシュＲＯＭなどのデータの書き込み及び書き換えが可能な不揮発性のメモリにより構成される。記憶部２４は、ＩＣカード（ＩＤｉ）ごとに、駅務処理に必要な情報を記憶するデータベース２４ａを有する。データベース２４ａは、例えば、各ＩＣカードの識別情報（ＩＤｉ）に対応づけて、ＳＦカード情報（ＳＦカードとして利用可能な金額情報（ＳＦ残額、電子マネーの残額）、オードチャージの設定情報など）、定期券情報（有効期間、有効区間などの情報）、入出場状態情報、個人情報などが記憶される。
【００２７】
通信部２５は、処理サーバ１とデータ通信を行うための通信インターフェースである。通信部２５は、処理サーバ１と通信可能なインターフェースであれば良く、例えば、ネットワークを介して処理サーバ１と通信するようにしても良い。
【００２８】
なお、処理サーバ１とデータサーバ２とは、１つのサーバ装置として構成しても良い。この場合、処理サーバ１とデータサーバ２とは、通信回線などを介してデータ通信する必要が無くなるため、高速な処理が期待できる。また、処理サーバ１は、複数のサーバ装置で構成しても良い。この場合、処理サーバ１を複数のサーバ装置とする場合、駅務システム内のデータ処理が複数のサーバ装置で分散して実行できる。
【００２９】
次に、自動改札機３の構成について説明する。  
図３は、自動改札機３の構成例を示すブロック図である。図３に示すように、自動改札機３は、プロセッサ３１、ＲＯＭ３２、ＲＡＭ３３、記憶部３４、通信部３５、カードリーダライタ３６、表示部３７、およびドア制御部３８などを有する。
【００３０】
プロセッサ３１、ＲＯＭ３２およびＲＡＭ３３は、自動改札機３全体を制御するメイン制御部として機能する。プロセッサ３１は、例えば、ＣＰＵなどの演算部である。プロセッサ３１は、ＲＯＭ３２又は記憶部３４が記憶するプログラムを実行することにより種々の処理機能を実現する。ＲＯＭ３２は、不揮発性のメモリであり、プログラムメモリとして機能する。ＲＯＭ３２は、プロセッサ３１が実行するプログラムや制御データなどを記憶する。ＲＡＭ３３は、一時的にデータを保持するワーキングメモリとして機能する。ＲＡＭ３３は、プログラムをロードしたり、プロセッサ３１が処理中のデータを保持したりする。ＲＡＭ３３は、通信データなどを一時的に保持するバッファメモリとしても機能する。
【００３１】
記憶部３４は、データを記憶するメモリである。記憶部３４は、ＨＤＤ或はＳＳＤなどの書換え可能な不揮発性メモリを含む。記憶部３４は、改札処理において通行判定に用いる運賃情報などの情報を記憶する。また、記憶部３４は、プロセッサ３１が実行可能なプログラムを記憶しても良いし、各種の判定に用いる情報（例えば、後述するＩＤｉ）を記憶しても良い。  
通信部３５は、監視盤４或は監視盤４を介して処理サーバ１とデータ通信を行なう為の通信インターフェースである。
【００３２】
カードリーダライタ３６は、利用者が所持する乗車券媒体としてのＩＣカードＣとのデータ通信を行うインターフェースである。カードリーダライタ３６は、非接触式ＩＣカードＣとしての近距離無線通信を行うためのアンテナおよび通信制御部などにより構成される。例えば、カードリーダライタ３６は、プロセッサ３１からの指示に基づいて、データの読出しを要求するコマンドをＩＣカードＣへ送信し、そのコマンドに対するレスポンスとして読出データをＩＣカードＣから受信する。また、カードリーダライタ３６は、プロセッサ３１からの指示に基づいてデータの書き込みを要求するコマンドをＩＣカードＣへ送信し、そのコマンドに対するレスポンス（書込み結果）をＩＣカードＣから受信する。
【００３３】
表示部３７は、利用者への案内表示などを表示する表示装置などから構成される。表示部３７に表示される案内は、プロセッサ３１により制御される。すなわち、プロセッサ３１は、処理状況に応じて表示部３７の表示制御を行う。  
ドア制御部３８は、利用者の通行を制御するものである。ドア制御部３８は、例えば、当該自動改札機３が形成する通路の通行を遮断するためのドアを制御する。ドア制御部３８は、プロセッサ３１からの指示に応じてドア開閉機構によるドアの開閉を制御する。すなわち、プロセッサ３１は、処理状況に応じてドアの開閉制御（通行制御）を行う。
【００３４】
次に、監視盤４の構成について説明する。  
図４は、監視盤４の構成例を示すブロック図である。  
図４に示すように、監視盤４は、プロセッサ４１、ＲＯＭ４２、ＲＡＭ４３、記憶部４４、第１通信部４５、第２通信部４６、表示部４７、および操作部４８などを有する。  
プロセッサ４１、ＲＯＭ４２およびＲＡＭ４３は、監視盤４全体を制御する制御部として機能する。プロセッサ４１は、例えば、ＣＰＵなどの演算部である。プロセッサ４１は、ＲＯＭ４２又は記憶部４４が記憶するプログラムを実行することにより種々の処理機能を実現する。ＲＯＭ４２は、不揮発性のメモリであり、プログラムメモリとして機能する。ＲＯＭ４２は、プロセッサ４１が実行するプログラムや制御データなどを記憶する。ＲＡＭ４３は、維持的にデータを保持するワーキングメモリとして機能する。ＲＡＭ４３は、プログラムをロードしたり、プロセッサ４１が処理中のデータを保持したりする。ＲＡＭ４３は、通信データなどを一時的に保持するバッファメモリとしても機能する。
【００３５】
記憶部４４は、データを記憶するメモリである。記憶部４４は、ＨＤＤ或はＳＳＤなどの書換え可能な不揮発性メモリを含む。記憶部４４は、処理サーバ１から受信するデータ又は自動改札機３から取集する情報を記憶する。また、記憶部４４は、プロセッサ３１が実行可能なプログラムを記憶しても良いし、各種の判定に用いる情報（例えば、処理サーバ１から配信されるＩＤｉなどの情報）を記憶しても良い。  
第１通信部４５は、処理サーバ１と通信するための通信インターフェースである。第２通信部４６は、各自動改札機３と通信するための通信インターフェースである。第１通信部４５及び第２通信部４６は、１つの通信インターフェースで構成しても良い。  
表示部４７は、各自動改札機３の動作状態を表示する表示装置などから構成される。操作部４８は、係員が動作指示を入力するためのボタンなどにより構成される。例えば、表示部４７及び操作部４８は、タッチパネルを具備する表示装置により構成される。
【００３６】
次に、券売機５、定期券発行機６、精算機７および窓口処理機８の構成について説明する。  
図５は、券売機５、定期券発行機６、精算機７および窓口処理機８などの駅務機器におけるＩＣカード処理装置としての構成例を示すブロック図である。図４に示すように、券売機５、定期券発行機６、精算機７および窓口処理機８は、ＩＣカード処理装置として、プロセッサ５１、ＲＲＯＭ５２、ＲＡＭ５３、記憶部５４、通信部４５、表示部５６、操作部５７、カード処理部５８、および、現金処理部５９などを有する。
【００３７】
プロセッサ５１、ＲＯＭ５２およびＲＡＭ５３は、装置全体を制御する制御部として機能する。プロセッサ５１は、例えば、ＣＰＵなどの演算部である。プロセッサ５１は、ＲＯＭ５２又は記憶部５４が記憶するプログラムを実行することにより種々の処理機能を実現する。ＲＯＭ５２は、不揮発性のメモリであり、プログラムメモリとして機能する。ＲＯＭ５２は、プロセッサ５１が実行するプログラムや制御データなどを記憶する。ＲＡＭ５３は、一時的にデータを保持するワーキングメモリとして機能する。ＲＡＭ５３は、プログラムをロードしたり、プロセッサ５１が処理中のデータを保持したりする。ＲＡＭ５３は、通信データなどを一時的に保持するバッファメモリとしても機能する。
【００３８】
記憶部５４は、データを記憶するメモリである。記憶部５４は、ＨＤＤ或はＳＳＤなどの書換え可能な不揮発性メモリを含む。例えば、記憶部５４は、処理サーバ１から受信するデータ情報を記憶する。また、記憶部５４は、プロセッサ３１が実行可能なプログラムを記憶しても良いし、各種の判定に用いる情報を記憶しても良い。  
通信部５５は、処理サーバ１と通信するための通信インターフェースである。  
表示部５６は、表示装置などから構成される。表示部５６は、操作案内或は処理状況などを表示する。操作部５７は、各種の操作キーあるいはタッチパネルなどにより構成される。操作部５７は、利用者又は係員により操作されるものである。例えば、表示部５６及び操作部５７は、タッチパネルを具備する表示装置により構成される。
【００３９】
カード処理部５８は、利用者が所持するＩＣカードＣを含むカードを処理するユニットである。カード処理部５８は、非接触式ＩＣカードと通信するカードリーダライタを有する。また、カード処理部５８は、接触式ＩＣカードあるいは磁気式のカードを処理する機能を有するものであって良い。
【００４０】
現金処理部５９は、現金を処理するユニットである。現金処理部５９は、現金を鑑査する鑑査部、現金投入口に投入された現金を鑑査部へ搬送する搬送部、鑑査部により正常と判定された現金を貯留する保管部、保管部に貯留されている現金を放出口から放出する放出部などにより構成される。例えば、現金処理部５９は、釣銭あるいは払戻金などの支払いを行う。
【００４１】
次に、駅務システムにおける動作について説明する。  
本実施形態では、ＩＣカードＣに記録されている情報によって各駅務機器が駅務処理を行っているシステムを、上記駅務処理の一部又は全部を処理サーバが行うシステムに移行する場合を想定する。このため、本実施形態に係る駅務システムは、利用者が所持するＩＣカードＣに乗車券情報などの駅務処理に必要な情報が記録されていることを前提とし、各駅務機器での駅務処理を実施しつつ、利用者が所持するＩＣカードＣに記録されている情報をデータサーバ２に登録する動作を行う。
【００４２】
すなわち、本実施形態に係る駅務システムは、自動改札機等の駅務機器がＩＣカードＣに記録されている情報によって駅務処理を実行するという第２の運用を行いつつ、ＩＣカードＣに記録されている情報をデータサーバ２へ登録する処理を進める。データサーバ２への情報の登録が完了したＩＣカードＣに対しては、本実施形態に係る駅務システムは、処理サーバ１が自動改札機等の駅務機器からの要求に応じてデータサーバ２が記憶している情報を用いて駅務処理を実行するという第１の運用を行う。
【００４３】
まず、駅務システムにおける第１の動作例について説明する。  
図６は、駅務機器における第１の動作例を説明するためのフローチャートである。  
図６に示す第１の動作例は、利用者がＩＣカードＣを提示してから処理完了までの処理時間が短い駅務機器での処理（例えば、自動改札機３での改札処理）などを想定した動作例である。例えば、自動改札機３では、利用者が通行中に改札処理を実行するため、処理時間が短く、改札処理以外の処理に時間をかけることが難しい。このような処理時間が短い駅務処理を行う駅務機器については、第１の動作例が適用できる。もちろん、運用形態によっては、第１の動作例を券売機５、定期券発行機６、精算機７、窓口処理機８などの駅務機器に適用しても良い。以下、図６に示す第１の動作例を自動改札機３に適用した場合の動作例について説明する。
【００４４】
すなわち、第１の動作例の自動改札機３は、データサーバ２に情報を登録済みのＩＣカードＣを提示した利用者に対しては処理サーバが通行の可否を判定し、データサーバ２に情報が登録されていないＩＣカードＣを提示した利用者に対しては自動改札機３がＩＣカードＣから読み取る情報に基づいて通行判定を行う。さらに、データサーバ２に情報が登録されていないＩＣカードＣに対して、自動改札機３は、通行制御（改札処理）を実行した後に、当該ＩＣカードＣに記憶されている情報(一部又は全部)の登録を処理サーバ１に依頼（要求）する。
【００４５】
自動改札機３は、待機状態において、カードＲＷ３６によりＩＣカードＣからの応答を要求する信号を発信する。利用者がＩＣカードＣを自動改札機３の所定の通信領域に提示すると、ＩＣカードＣは、カードＲＷ３６からの電波を受けて活性化し、カードＲＷ３６からの応答要求に対して応答信号を送信する。これにより、カードＲＷ３６とＩＣカードＣとは、通信が可能な状態となる。カードＲＷ３６がＩＣカードＣからの応答信号を受信すると、自動改札機３のプロセッサ３１は、当該ＩＣカードＣから識別情報（ＩＤｉ）および登録フラグを読み取る（ステップＳ１１）。
【００４６】
ここで、登録フラグは、データサーバ２に当該ＩＣカードの情報を登録済みであるか否かを示す情報である。データサーバ２に情報が登録されている場合、登録フラグがオンの状態（例えば、「１」）となるものとする。また、ＩＣカードは、予め規定されているコマンドに応じて処理を実行し、その処理結果を返す仕様となっている。このため、自動改札機３のプロセッサ３１は、ＩＤｉ及びフラグの記憶領域の読取りを要求する読取コマンドをカードＲＷ３６からＩＣカードＣへ供給する。ＩＣカードＣは、読取コマンドに応じてＩＤｉ及び登録フラグの記憶領域を読み取った結果をカードＲＷ３６へ送信する。これにより、自動改札機３のプロセッサ３１は、ＩＣカードＣのＩＤｉ及び登録フラグを読み取る。
【００４７】
ＩＣカードＣにおけるＩＤｉ及び登録フラグの読み取ると、プロセッサ３１は、ＩＣカードＣの登録フラグがオンであるか否かを判断する（Ｓ１２）。ＩＣカードＣの登録フラグがオンである場合（Ｓ１２、ＹＥＳ）、プロセッサ３１は、当該ＩＣカードＣの情報（当該ＩＣカードの所持者の情報）がデータサーバ２に登録済みであると判断する。この場合、プロセッサ３１は、ＩＣカードＣから読み取ったＩＤｉと判定環境情報（駅情報などの通行判定のための情報）とを、通行の可否の判定を要求する処理（判定）要求と共に処理サーバ１へ送信する（Ｓ１３）。ここで、判定環境情報とは、通行判定を行うために自動改札機３から提供されるべき情報であり、例えば、当該自動改札機が設置されている駅又は改札口を示す情報などを含む情報である。
【００４８】
自動改札機３からの判定要求を受信した処理サーバ１は、受信したＩＤｉに対応する通行判定に用いる情報をデータサーバ２から取得し、取得したＩＤiに対応する情報と判定環境情報とに基づいて通行の可否を判定する判定処理を行う。判定処理を実行すると、処理サーバ１は、判定結果を示す情報を自動改札機３へ送信する。これに対して、自動改札機３は、処理サーバ１からの判定結果を示す情報を受信する。
【００４９】
処理サーバ１からの判定結果を示す情報を受信すると（Ｓ１４）、自動改札機３のプロセッサ３１は、処理サーバ１から取得した判定結果に応じた処理として通行制御処理を実行する（Ｓ１５）。例えば、通行可を示す判定結果を受信した場合、プロセッサ３１は、当該ＩＣカードＣを提示した利用者の通行を許可する通行制御を行う。通行を許可する場合、プロセッサ３１は、ドア制御部３８によりドアを開放し、表示部３７に通行可の案内を表示する。また、通行不可を示す判定結果を受信した場合、プロセッサ３１は、当該ＩＣカードＣを提示した利用者の通行を不可とする通行制御を行う。通行を不可とする場合、プロセッサ３１は、ドア制御部３８によりドアを閉鎖し、表示部３７に通行不可の案内を表示する。
【００５０】
処理サーバ１による判定結果に応じた処理として通行制御処理が終了すると、プロセッサ３１は、通行制御処理の処理結果を示す情報を処理サーバ１へ送信する（Ｓ１６）。例えば、通行制御処理が正常に終了した場合、プロセッサ３１は、正常終了を示す情報を処理サーバ１へ送信する。また、通行制御処理が正常終了しなかった場合、プロセッサ３１は、正常に終了できなった旨を処理サーバ１へ送信する。例えば、通行不可と判定された利用者が強行に通行した場合、プロセッサ３１は、不正な通行が行われた旨を処理結果として処理サーバ１へ送信するようにしても良い。
【００５１】
また、自動改札機３は、データサーバ２に情報を登録済みのＩＣカードＣ内に保持されている不要なデータを消去する処理を行うようにしても良い。これは、データサーバ２に登録済みの情報は、ＩＣカードＣに保持する必要がないデータとなるためである。図６に示す動作例では、自動改札機３のプロセッサ３１は、通行制御処理の処理結果を処理サーバ１へ送信した後、ＩＣカードＣ内に記録されている不要なデータを消去するか否かを判断する（Ｓ１７）。不要なデータを消去すると判断した場合（Ｓ１７、ＹＥＳ）、プロセッサ３１は、利用者が提示したＩＣカードＣ内に記憶されている不要なデータの消去を行う（Ｓ１８）。ＩＣカードＣ内のデータの消去処理は、不要データの記憶領域に「０」のデータを上書きするものであっても良いし、管理情報を削除するものであっても良い。
【００５２】
なお、Ｓ１７及びＳ１８の処理は、ＩＣカードＣにおける登録フラグがオンであることを確認した後（Ｓ１２でＹＥＳの後）であれば、どのタイミングで実施しても良い。ただし、データサーバ２に登録済みの情報は、ＩＣカードＣに保持したままとしても駅務処理などに不具合が生じない。このため、自動改札機３は、データサーバ２に情報を登録済みのＩＣカードに対して必ずしも全ての不要な情報を消去する処理を実施しなくても良い。
【００５３】
また、ＩＣカードＣの登録フラグがオンでないと判断した場合（Ｓ１２、ＮＯ）、プロセッサ３１は、当該ＩＣカードＣの情報（当該ＩＣカードの所持者の情報）がデータサーバ２に登録されているかを確認する（Ｓ２１）。この登録済みのチェックは、処理サーバ１に問い合わせることにより実行しても良いし、監視盤４に問い合わせることにより実行しても良いし、自動改札機３自身が行うようにしても良い。
【００５４】
例えば、処理サーバ１が登録済みのチェックを実行する場合、処理サーバ１は、登録済みのＩＣカードのＩＤｉを示す情報を記憶部１４に記憶しておき、自動改札機３からの問合せに応じてＩＤｉの照合を実行し、その照合結果を自動改札機３へ送信する。また、自動改札機３（駅務機器）自身が登録済みのチェックを実行する場合、自動改札機３は、処理サーバ１から配信される登録済みのＩＣカードのＩＤｉを示す情報を記憶部３４に記憶しておき、記憶部３４に記憶した登録済みのＩＤｉとの照合を実行する。
【００５５】
本実施形態では、監視盤４が登録済みのチェックを実行するものとする。この場合、処理サーバ１は、登録済みのＩＣカードのＩＤｉを各駅の監視盤４へ配信する。監視盤４は、処理サーバ１から配信される登録済みのＩＣカードのＩＤｉを記憶部４４に記憶しておき、自動改札機３からの登録済みのチェックを受付ける。
【００５６】
すなわち、自動改札機３のプロセッサ３１は、監視盤４に対してＩＣカードのＩＤｉと共にＩＤｉチェック（登録済みのチェック）を依頼する。監視盤４のプロセッサ４１は、自動改札機３からチェックが依頼されたＩＤｉと記憶部４４に記憶している登録済みのＩＤｉとを照合する。記憶部４４に一致する登録済みのＩＤｉが有る場合、プロセッサ４１は、当該ＩＣカードＣの情報がデータサーバ２に登録済みである旨を自動改札機３へ応答する。また、記憶部４４に一致する登録済みのＩＤｉが無い場合、プロセッサ４１は、当該ＩＣカードＣの情報が未登録である旨を自動改札機３へ応答する。これにより、自動改札機３のプロセッサ３１は、ＩＤｉチェックの依頼に対する監視盤４からの応答によりＩＣカードＣの情報が登録済みか否かを確認する。
【００５７】
ＩＣカードＣの情報がデータサーバ２に登録済みであることを確認した場合（Ｓ２２、ＹＥＳ）、プロセッサ３１は、ＩＣカードＣの登録フラグをオンにセットする（Ｓ２３）。ＩＣカードＣの登録フラグをオンにした場合、プロセッサ３１は、上記Ｓ１３の処理へ進み、処理サーバでの通行判定を含む上述の処理を実行する。  
また、ＩＣカードＣの情報が登録済みでないことを確認した場合（Ｓ２２、ＮＯ）、プロセッサ３１は、処理サーバ１による処理無しで、ＩＣカードＣによる駅務処理（改札処理）を実行する（Ｓ２４）。この場合、プロセッサ３１は、ＩＣカードＣから通行判定に必要な情報（定期券情報、ＳＦ情報、入出場状態情報など）を読み取る。プロセッサ３１は、ＩＣカードＣから読み取った情報により通行判定を行い、通行判定の結果に応じた利用者に対する通行制御処理を実行する。
【００５８】
ＩＣカードＣによる改札処理が終了すると、プロセッサ５１は、当該ＩＣカードＣに記録されている情報をデータサーバ２に登録する必要があるか否かを判断する（Ｓ２５）。ここで、自動改札機３などの駅務機器は、ＩＣカードＣに記録されている情報のデータサーバ２への登録を実行する条件（条件情報）を設定しておくことが可能である。例えば、登録処理が一時期に大量に発生することを防ぐなどの運用上の理由から、登録期間、登録時間帯、登録駅、又は、登録エリアなどを設定しても良い。駅ごとに登録期間を設定する場合、自動改札機３は、設置されている駅毎の登録期間の情報を登録処理の条件情報として記憶部３４に記憶しておき、登録期間であるか否かにより登録処理を実行するか否かを判断すれば良い。
【００５９】
ＩＣカードＣに記憶されている情報の登録が必要と判断した場合（Ｓ２５、ＹＥＳ）、プロセッサ５１は、データサーバ２への登録要求と共に、処理結果と登録情報とを処理サーバ１へ送信する（Ｓ２６）。ここで、登録情報は、ＩＣカードＣに記憶されているデータサーバ２に登録すべき全ての情報であっても良いし、当該駅務機器の機種（ここでは、自動改札機）で取り扱う情報だけであっても良い。ＩＣカードには、前者の場合は１つの登録フラグが設定され、後者の場合は駅務機器の機種ごとに登録フラグが設定される。
【００６０】
登録すべき全ての情報を登録情報とする場合、何れの自動改札機による１回の登録処理で全情報の登録が完了する。このため、駅務システム全体としては、１つのＩＣカードに対して、１回の登録処理（登録処理を含む改札処理）を実施すれば良いこととなる。この場合、登録情報が大きくなるものの、短期間で多くのＩＣカードの情報の登録が完了できるものと考えられる。また、登録すべき全ての情報を登録情報とする場合、プロセッサ５１は、Ｓ２４の駅務処理において読み取った情報以外にも登録情報として処理サーバ１へ送信すべき情報があれば、再度ＩＣカードから読み取って登録情報を生成するようにすれば良い。
【００６１】
また、当該機種（自動改札機）で取り扱う情報だけを登録情報とする場合、駅務機器の機種ごとに登録処理が必要となる。このため、駅務システム全体としては、１つのＩＣカードに対して、複数回の登録処理によって全情報の登録が完了することとなる。この場合、１回の登録処理で登録する情報量が少なくなるため、１回ごとの登録処理（登録処理を含む駅務処理）が短時間で済ませられるという利点がある。当該駅務機器で取り扱う情報だけを登録情報とする場合、プロセッサ５１は、Ｓ２４の駅務処理においてＩＣカードから読み取った情報から登録情報を生成するようにしても良い。
【００６２】
第１の動作例では、データサーバ２への情報の登録が完了していないＩＣカードについては、Ｓ２６で登録情報を処理サーバ１へ送信した時点で一連の処理を終了する。このため、当該ＩＣカードに対しては、次回の駅務処理までに登録処理が完了していれば、次回の駅務処理時に登録フラグがセットされる事となる。このような登録処理によれば、登録処理の結果を待って登録フラグをセットする必要がないため、１回の駅務処理における登録処理に要する時間を実質的に短縮できる。
【００６３】
上記のように、第１の動作例によれば、自動改札機などの駅務機器は、データサーバに情報が登録済みのＩＣカードに対しては処理サーバでの処理結果に応じた駅務処理（通行制御処理）を行い、データサーバに情報が未登録のＩＣカードに対してはＩＣカードによる駅務処理を行うとともに、当該ＩＣカードの情報の登録を処理サーバへ要求する。これにより、自動改札機などの駅務機器は、１回の駅務処理がＩＣカードの情報を登録するための処理によって処理時間が長くなることを抑え、円滑な運用を進めながらデータサーバへの情報の登録が行える。
【００６４】
また、上記第１の動作例によれば、自動改札機などの駅務機器は、ＩＣカードから読み取ったＩＤｉが登録済みのＩＣカードのＩＤｉであるかをチェックし、登録済みのＩＤｉと一致した場合にはＩＣカードにフラグをセットするようにしたものである。これにより、登録情報を送信した後、次回以降の駅務処理（改札処理）において登録状況をチェックして登録済みであれば登録フラグをセットすることが可能となる。この結果として、駅務機器における駅務処理の処理時間に大きな影響を与えずに、サーバでの登録処理をリニアに実施する必要がなく、一時期に大量の登録情報が発生した場合であっても、システム全体として十分な処理時間を確保できる。
【００６５】
次に、処理サーバ１における第１の動作例について説明する。  
図７は、処理サーバ１における第１の動作例を説明するためのフローチャートである。  
図７に示す処理サーバ１の第１の動作例は、図６に示す駅務機器の第１の動作例による動作に対応する処理である。
【００６６】
処理サーバ１では、各駅務駅器からの処理要求および情報の登録要求を随時受信する。駅務機器から処理要求を受信した場合（Ｓ３１、ＹＥＳ）、処理サーバ１のプロセッサ１１は、処理要求と共に受信するＩＤｉに対応する情報をデータサーバ２から情報を取得する（Ｓ３２）。データサーバ２は、ＩＤｉに対応づけて駅務処理に必要な情報をデータベース２４ａに記憶している。データサーバ２は、各ＩＤｉに対応づけて、登録処理時にＩＣカードに記憶していた情報と駅務処理を実行するごとに更新される情報とをデータベース２４ａに記憶する。処理サーバ１のプロセッサ１１は、受信した処理要求に必要な情報をデータサーバ２から取得する。例えば、処理要求として自動改札機３から通行判定（入場判定、又は出場判定）の要求を受信した場合、プロセッサ１１は、処理要求と共に受信したＩＤｉに対応する通行判定に必要な情報（例えば、定期券情報、ＳＦカード情報、及び入出場状態情報など）をデータサーバ２から取得する。
【００６７】
データサーバ２からＩＤｉに対応する情報を取得すると、プロセッサ１１は、データサーバ２から取得した情報と駅務機器から受信した情報とに基づいて要求された処理を実行する（Ｓ３３）。例えば、自動改札機３から通行判定要求を受信した場合、プロセッサ１１は、データサーバ２から取得するＩＤｉに対応する通行判定に必要な情報と自動改札機３から受信した判定環境情報とに基づいて通行判定を実行する。
【００６８】
要求された処理が終了すると、処理サーバ１のプロセッサ１１は、処理の要求元の駅務機器へ処理結果を示す情報を送信する（Ｓ３４）。例えば、自動改札機３から通行判定要求を受信した場合、プロセッサ１１は、通行判定の結果を示す情報を自動改札機３へ送信する。処理結果を送信した後、プロセッサ１１は、駅務機器での処理結果の受信待ちとなる。処理サーバ１のプロセッサ１１は、駅務機器から処理結果を受信すると（Ｓ３５）、データサーバ２の情報を更新する（Ｓ３６）。例えば、自動改札機３は、処理サーバ１からの通行判定の結果に基づいて利用者の通行制御処理を実行し、その通行制御処理の結果を処理サーバ１へ送信する。処理サーバ１のプロセッサ１１は、自動改札機３から通行制御処理の結果として当該利用者の入出場状態（入場状態、若しくは、出場状態）を示す情報を受信する。処理サーバ１のプロセッサ１１は、自動改札機３からの入出場状態を含む通行制御処理の結果に基づいてデータサーバ２が記憶するＩＤｉに対応する情報を更新する。
【００６９】
また、駅務機器から登録要求（登録情報）を受信した場合（Ｓ３７、ＹＥＳ）、処理サーバ１のプロセッサ１１は、登録要求と共に受信する登録情報に基づいてデータサーバ２への情報の登録処理を実行する（Ｓ３８）。処理サーバ１のプロセッサ１１は、データサーバ２への登録情報の登録が完了すると、登録済みのＩＣカードを示す情報（登録済みのＩＣカードのＩＤｉ）を設定する処理を行う（Ｓ３９）。登録済みのＩＣカードを示す情報は、登録済みのチェックを行う装置に設定する。
【００７０】
例えば、監視盤４が登録済みのチェックを実行する運用とする場合、処理サーバ１のプロセッサ１１は、登録済みのＩＣカードを示す情報（ＩＤｉ）を各駅の監視盤４へ配信する。この場合、各監視盤４は、配信されたＩＤｉを登録済みのＩＣカードのＩＤｉとして保持する。これにより、各監視盤４は、自動改札機３からのＩＤｉの照合要求に応じて登録済みのＩＣカードのＩＤｉであるかをチェック（登録済みのチェック）できる。
【００７１】
また、各駅務機器が登録済みのチェックを実行する運用とする場合、処理サーバ１のプロセッサ１１は、登録済みのＩＣカードを示す情報（ＩＤｉ）を各駅務機器へ配信する。この場合、各駅務機器は、配信されたＩＤｉを登録済みのＩＣカードのＩＤｉとして自身の記憶部に保存する。これにより、各駅務機器は、利用者が提示するＩＣカードが登録済みのＩＣカードのＩＤｉであるかをチェック（登録済みのチェック）できる。
【００７２】
また、登録済みのチェックを処理サーバ１が実行する運用とする場合、処理サーバ１のプロセッサ１１は、登録済みのＩＣカードを示す情報（ＩＤｉ）を当該サーバ１の記憶部１４に記憶する。これにより、処理サーバ１のプロセッサ１１は、駅務機器からのＩＤｉの照合要求に応じて登録済みのＩＣカードのＩＤｉであるかをチェック（登録済みのチェック）できる。
【００７３】
なお、全ての情報の登録が完了したことを示す登録フラグをＩＣカードに設定する運用の場合（ＩＣカードに１つの登録フラグを設定する場合）、プロセッサ１１は、全ての情報がデータサーバ２に登録済みであるか否かにより、当該ＩＤｉのＩＣカードの登録フラグをオンにすべきかを判断する。この場合、プロセッサ１１は、全ての情報がデータサーバ２に登録された場合に登録フラグをオンすると判断し、登録済みのＩＣカードを示す情報として当該ＩＤｉ（登録フラグをオンすべきＩＤｉ）を設定するようにすれば良い。  
また、駅務機器の機種ごとの登録フラグをＩＣカードに設定する運用の場合、プロセッサ１１は、データサーバ２に登録した情報に応じてオンすべき登録フラグを判断する。この場合、プロセッサ１１は、ＩＤｉに対応づけてオンすべきと判断した登録フラグ（又は、情報の登録が完了した機種）を示す情報を設定するようにすれば良い。
【００７４】
上記のような第１の動作例によれば、第１の駅務機器（例えば、入場時の自動改札機）は、駅務処理で情報が未登録のＩＣカードについては当該ＩＣカードによる駅務処理を実行するとともに、当該ＩＣカードの情報の登録要求を処理サーバへ送信する。処理サーバは、登録要求を受けてデータサーバへの情報の登録処理を実行する。第２の駅務機器（例えば、出場時の自動改札機）は、データサーバへの登録処理が完了したＩＣカードについては処理サーバへ駅務機器の一部を依頼し、処理サーバでの処理結果に基づいて駅務処理を行う。
【００７５】
このような第１の動作例によって動作する駅務機器と処理サーバとを有する駅務システムでは、利用者が情報をサーバに登録するための特別な手続きをすることなく、従来通りの駅務処理の運用を継続しつつ、ＩＣカードに記録されている情報の登録が行える。また、駅務機器での駅務処理時に実施する情報の登録に係る処理を短時間で行えるため、ＩＣカードの情報を登録する場合であっても駅務処理を円滑に行える。
【００７６】
次に、駅務システムにおける第２の動作例について説明する。  
図８は、駅務機器における第２の動作例を説明するためのフローチャートである。  
図８に示す第２の動作例は、利用者がＩＣカードＣを提示してから処理を完了するまでの処理がフレキシブルに確保できる駅務処理を行う駅務機器での動作を想定した動作例である。例えば、券売機、定期券発行機、精算機、窓口処理機では、ＩＣカードＣを提示した利用者が装置の前で処理完了まで待つこととなるため、運用上、自動改札機３での改札処理などに比べて処理時間を確保できる。このような処理時間が確保できる駅務処理を行う駅務機器には、第２の動作例が適用できる。もちろん、運用形態によっては、第２の動作例を自動改札機などの駅務機器に適用しても良い。
【００７７】
図８に示す第２の動作例において、駅務機器は、データサーバ２に情報を登録済みのＩＣカードＣを提示した利用者に対しては処理サーバが判定処理などの一部の処理を実行し、データサーバ２に情報が登録されていないＩＣカードＣを提示した利用者に対しては処理サーバによる処理無しで駅務機器がＩＣカードＣによる駅務処理を行う。さらに、データサーバ２に情報が登録されていないＩＣカードＣに対して、駅務機器は、駅務処理を実行した後に、当該ＩＣカードＣに記憶されている情報(一部又は全部)の登録を処理サーバ１に依頼（要求）する。
【００７８】
ここでは、駅務機器が行う駅務処理の例として、券売機５がＳＦ金額（電子マネー）をチャージする処理（金額チャージ処理）を行う場合を想定して説明するものとする。すなわち、券売機５のプロセッサ５１は、利用者の操作に応じて駅務処理としての金額チャージ処理を受付ける（Ｓ５１）。例えば、利用者は、カード投入口に乗車券媒体として所持しているＩＣカードＣを投入し、操作部５７により金額のチャージの実行を指示する。また、利用者は、チャージ金額を指定し、指定したチャージ金額を現金で支払う場合には現金処理部５９に現金を投入する。また、利用者は、指定したチャージ金額をクレジットカードで決済する場合にはカード処理部５８にクレジットカードを投入する。これらの操作に応じて、券売機５のプロセッサ５１は、金額チャージ処理を開始する。
【００７９】
駅務処理としての金額チャージ処理を受付けると、プロセッサ５１は、カード処理部５８により利用者が投入したＩＣカードＣから識別情報（ＩＤｉ）および登録フラグを読み取る（Ｓ５２）。なお、登録フラグは、処理中の機種（ここでは券売機）用の情報の登録状態を示す情報であっても良いし、当該ＩＣカードＣに記憶されている駅務処理に用いる全情報の登録状態を示す情報であっても良い。
【００８０】
ＩＣカードＣにおけるＩＤｉ及び登録フラグの読み取る結果を取得すると、プロセッサ５１は、ＩＣカードＣの登録フラグがオンであるか否かを判断する（Ｓ５３）。ＩＣカードＣの登録フラグがオンであった場合（Ｓ５３、ＹＥＳ）、プロセッサ５１は、当該ＩＣカードＣの情報（当該ＩＣカードの所持者の情報）がデータサーバ２に登録済みであると判断する。この場合、プロセッサ５１は、ＩＣカードＣから読み取ったＩＤｉ及び処理環境情報と共に、処理要求を処理サーバ１へ送信する（Ｓ５４）。処理環境情報とは、処理を行うために駅務機器から提供されるべき情報である。ここで、例えば、金額チャージ処理においては、利用者が指定したチャージする金額、および、券売機５に投入された金額（又は、利用者が指定するチャージ金額を支払うクレジットカードの情報）などの情報などである。なお、精算機による精算処理では、処理環境情報は、精算を実行する駅（当該精算機７が設置されている駅）を示す情報などとなる。
【００８１】
券売機５からの処理要求を受信した処理サーバ１は、受信したＩＤｉに対応した登録情報をデータサーバ２から取得し、取得した登録情報と処理環境情報とに基づいて処理を実行する。例えば、金額チャージ処理が要求された場合、処理サーバ１は、券売機５に投入された金額（又は利用者が指定するクレジットカード）によるチャージ金額の支払いが可能であるかを判断する。チャージ金額の支払いが可能である場合、処理サーバ１は、登録情報に含まれるＳＦ情報としての現在の残額にチャージ金額を加算する処理を行う。このような処理が終了すると、処理サーバ１は、処理結果を示す情報を券売機５へ送信する。
【００８２】
処理サーバ１からの処理結果を示す情報を受信すると（Ｓ５５）、券売機５のプロセッサ５１は、処理サーバ１による処理結果に応じた処理を実行する（Ｓ５６）。例えば、金額のチャージ完了を示す処理結果を受信した場合、プロセッサ５１は、チャージ完了を示す案内を表示部５６に表示し、現金処理部５９により釣銭を放出（クレジットカードを受け入れた場合にはカード処理部５８によりクレジットカードを放出）する。また、金額のチャージが不可である旨の処理結果を処理サーバ１から受信した場合、プロセッサ５１は、チャージ不可である旨の案内を表示部５６に表示し、現金として投入されたものを現金処理部５９により返却し、クレジットカードとして投入されたカードをカード処理部５８により返却する。
【００８３】
当該券売機５での処理が終了（つまり、金額チャージ処理が終了）すると、プロセッサ５１は、当該券売機５での処理結果を示す情報を処理サーバ１へ送信する（Ｓ５７）。例えば、プロセッサ５１は、処理サーバ１による処理結果に応じた処理が正常に終了した場合には正常終了を示す情報を処理サーバ１へ送信し、正常終了しなかった場合には正常に終了できなった旨を処理サーバ１へ送信する。  
処理サーバ１は、券売機からの処理結果を受けてデータサーバ２に登録されている情報を更新する。この更新が完了すると、処理サーバ１は、データサーバ２の更新（ＩＣカードに対応する情報の更新）が完了した旨を券売機５へ送る。
【００８４】
券売機５のプロセッサ５１は、処理サーバ１から処理結果を示す情報などによるデータサーバ２の更新完了を受けて金額チャージ処理を完了する。ここで、券売機５は、データサーバ２に情報を登録済みのＩＣカードに記憶されている不要な情報を消去する処理を行うようにしても良い。図８に示す動作例では、プロセッサ５１は、ＩＣカードＣ内に記憶されている不要なデータ（登録済みのデータ）の消去の要否を判断する（Ｓ５９）。ＩＣカードＣに記憶されているデータの消去を行わないと判断した場合（Ｓ５９、ＹＥＳ）、プロセッサ５１は、利用者が投入したＩＣカードＣをカード処理部５８により返却し、一連の処理を終了する。
【００８５】
ＩＣカードＣに記憶されている不要なデータを消去すると判断した場合（Ｓ５９、ＹＥＳ）、プロセッサ５１は、利用者が提示したＩＣカードＣにおける不要なデータの消去処理を行う（Ｓ６０）。不要なデータの消去処理は、不要なデータの記憶領域に「０」のデータを上書きするものであっても良いし、不要なデータに対応する管理情報を削除するものであっても良い。
【００８６】
なお、Ｓ５９及びＳ６０の処理は、ＩＣカードＣの登録フラグがオンであることを確認した後であれば、どのタイミングで実施しても良い。また、本駅務システムでは、データサーバ２に登録した情報をＩＣカードＣに保持したままとしても駅務処理などに不具合は生じない。このため、駅務機器５は、Ｓ５９及びＳ６０の処理を実行しなくても良い。
【００８７】
上記Ｓ５３でＩＣカードＣの登録フラグがオンでないと判断した場合（Ｓ５３、ＮＯ）、プロセッサ５１は、当該ＩＣカードＣの情報（当該ＩＣカードの所持者の情報）がデータサーバ２に登録されているかを確認する（Ｓ６１）。このチェックは、処理サーバ１に問い合わせて実行するようにしても良いし、駅務機器自身が実行するようにしても良いし、監視盤４に問い合わせて実行するようにしても良い。ここでは、処理サーバ１がＩＤｉのチェックを実行するものとする。
【００８８】
券売機５のプロセッサ５１は、処理サーバ１に対して読み取ったＩＣカードＣのＩＤｉと共に登録済みのチェック（ＩＤｉチェック）を依頼する。処理サーバ１のプロセッサ１１は、券売機５からチェックが依頼されたＩＤｉとデータサーバ２に登録済みのＩＤｉとを照合する。券売機５から受信したＩＤｉに一致するＩＤｉがデータサーバ２に登録済みである場合、処理サーバ１のプロセッサ１１は、当該ＩＣカードＣの情報がデータサーバ２に登録済みである旨を券売機５へ応答する。また、データベース２に一致する登録済みのＩＤｉが登録されてない場合、プロセッサ１１は、当該ＩＣカードＣの情報が未登録である旨を券売機５へ応答する。これにより、券売機５のプロセッサ５１は、ＩＤｉチェックの依頼に対する処理サーバ１からの応答により当該ＩＣカードＣの情報が登録済みか否かを確認する。
【００８９】
ＩＣカードＣの情報が登録済みであることを確認した場合（Ｓ６２、ＹＥＳ）、プロセッサ５１は、ＩＣカードＣの登録フラグをオンにセットする（Ｓ５３）。ＩＣカードＣの登録フラグをオンにした場合、プロセッサ５１は、上記Ｓ５４の処理へ進み、処理サーバ１と協働して駅務処理を実行する。
【００９０】
なお、第２の動作例では、登録完了した場合に登録グラフをセットするため、駅務システム内の全駅務機器が第２の動作例で動作する場合は、Ｓ６１乃至Ｓ６３の処理は省略される。例えば、自動改札機が第１の動作例で動作し、自動改札機以外の駅務機器が第２の動作例で動作する駅務システムでは、自動改札機以外の駅務機器が第２の動作例においてＳ６１乃至Ｓ６３の処理を実行することにより、データサーバ２に情報を登録済みで、かつ、登録フラグがセットされていないＩＣカードを抽出して登録フラグをセットできるようになる。
【００９１】
また、ＩＣカードＣの情報が登録済みでないことを確認した場合（Ｓ６２、ＮＯ）、プロセッサ５１は、処理サーバ１による処理無しで、ＩＣカードＣを用いた駅務処理を行う（Ｓ６４）。例えば、プロセッサ５１は、利用者が提示したＩＣカードＣから金額チャージ処理に必要な情報を読み取り、読み取った情報と利用者の操作（現金又はクレジットカードの投入を含む操作）とに応じて金額チャージ処理を実行する。
【００９２】
ＩＣカードＣを用いた駅務処理が終了すると、プロセッサ５１は、当該ＩＣカードＣに記憶されている情報をデータサーバ２に登録する必要があるか否かを判断する（Ｓ６５）。すなわち、駅務機器は、ＩＣカードＣが記憶している情報のデータサーバ２への登録を実行する条件（条件情報）を設定しておくことが可能である。例えば、登録処理が一時期に大量に発生することを防ぐなどの運用上の理由から、登録期間、登録時間帯、登録駅、又は、登録エリアなどを設定しても良い。例えば、駅ごとに登録期間を設定する場合、駅務機器は、設置されている駅ごとの登録期間の情報を条件情報として記憶部５４に記憶しておき、記憶部５４に記憶した登録期間であるか否かにより登録処理を実行するか否かを判断する。
【００９３】
登録が必要と判断した場合（Ｓ６５、ＹＥＳ）、プロセッサ５１は、データサーバ２への登録要求と共に、処理結果と登録情報とを処理サーバ１へ送信する（Ｓ６６）。登録情報は、ＩＣカードＣに記憶されているデータサーバ２に登録すべき全ての情報であっても良いし、当該駅務機器で取り扱う情報だけを登録情報としても良い。  
登録すべき全ての情報を登録情報とする場合、何れの駅務機器による１回の登録処理で全情報の登録が完了する。このため、駅務システム全体としては、１つのＩＣカードに対して、１回の登録処理（登録処理を含む駅務処理）を実施すれば良いこととなる。この場合、登録情報が大きくなるものの、短期間で多くのＩＣカードの情報の登録が完了できるものと考えられる。また、登録すべき全ての情報を登録情報とする場合、プロセッサ５１は、Ｓ６４の駅務処理において読み取った情報以外にも登録情報として処理サーバ１へ送信すべき情報があれば、再度ＩＣカードから読み取って登録情報を生成するようにすれば良い。
【００９４】
また、当該駅務機器で取り扱う情報だけを登録情報とする場合、駅務機器の機種ごとに登録処理が必要となる。このため、駅務システム全体としては、１つのＩＣカードに対して、複数回の登録処理によって全情報の登録が完了することとなる。この場合、１回の登録処理で登録する情報量が少なくなるため、１回ごとの登録処理（登録処理を含む駅務処理）が短時間で実行可能となる。当該駅務機器で取り扱う情報だけを登録情報とする場合、プロセッサ５１は、Ｓ６４の駅務処理においてＩＣカードＣから読み取った情報から登録情報を生成するようにしても良い。
【００９５】
データサーバ２への登録要求を送信した後、プロセッサ５１は、処理サーバ１から登録処理の結果を示す情報を受信する（Ｓ６７）。登録処理の結果を示す情報を受信すると、プロセッサ５１は、当該ＩＣカードＣに対して登録フラグをセットすべきか否かを判断する（Ｓ６８）。例えば、駅務機器の機種ごとに登録フラグを設定している場合、プロセッサ５１は、登録処理が正常終了した事を示す情報を受信すると、登録フラグをオンすると判断するようにして良い。また、全ての情報の登録が完了したことを示す登録フラグを設定している場合、プロセッサ５１は、登録処理の処理結果として全ての情報の登録が完了したことを示す情報を受信すると、登録フラグをオンすると判断する。
【００９６】
登録フラグをオンすると判断した場合（Ｓ６８、ＹＥＳ）、プロセッサ５１は、当該ＩＣカードＣにおける登録フラグをオンにセットする（Ｓ６９）。登録フラグをオンした場合、プロセッサ５１は、ＩＣカードＣ内に記憶されている不要なデータ（登録済みのデータ）を消去すべきか否かを判断する（Ｓ５９）。不要なデータを消去すると判断した場合（Ｓ６０、ＹＥＳ）、プロセッサ５１は、不要なデータを消去する処理を行う（Ｓ６０）。
【００９７】
上記のように、第２の動作例によれば、駅務機器は、データサーバに情報が登録済みのＩＣカードに対しては処理サーバでの判定処理の結果に応じた通行制御処理（駅務処理）を行い、データサーバに情報が未登録のＩＣカードに対してはＩＣカードによる改札処理（駅務処理）を行うとともに、当該ＩＣカードの情報をデータサーバに登録する処理を実行させる。これにより、駅務機器は、１回の駅務処理でＩＣカードの情報をデータサーバに登録することが可能となる。
【００９８】
次に、処理サーバ１における第２の動作例について説明する。  
図９は、処理サーバ１における第２の動作例を説明するためのフローチャートである。  
図９に示す処理サーバ１の第２の動作例は、図８に示す駅務機器の第２の動作例による動作に対応する処理である。  
処理サーバ１では、各駅務駅器からの処理要求および情報の登録要求を随時受信する。駅務機器から処理要求を受信した場合（Ｓ７１、ＹＥＳ）、処理サーバ１のプロセッサ１１は、処理要求と共に受信するＩＤｉに対応する情報をデータサーバ２から情報を取得する（Ｓ７２）。
【００９９】
データサーバ２からＩＤｉに対応する情報を取得すると、プロセッサ１１は、データサーバ２から取得した情報と駅務機器から受信した情報とに基づいて要求された処理を実行する（Ｓ７３）。例えば、券売機５から金額チャージ処理の要求を受信した場合、プロセッサ１１は、データサーバ２から取得するＩＤｉに対応する金額チャージ処理に必要な情報と券売機５から受信する処理環境情報とに基づいて金額チャージ処理を実行する。
【０１００】
要求された処理が終了すると、処理サーバ１のプロセッサ１１は、処理の要求元の駅務機器へ処理結果を示す情報を送信する（Ｓ７４）。例えば、券売機５から金額チャージ処理の要求を受信した場合、プロセッサ１１は、金額チャージ処理の結果を示す情報を券売機５へ送信する。処理結果を送信した後、プロセッサ１１は、駅務機器での処理結果の受信待ちとなる。処理サーバ１のプロセッサ１１は、駅務機器から処理結果を受信すると（Ｓ７５）、データサーバ２の情報を更新する（Ｓ７６）。データサーバ２の情報の更新が完了すると、プロセッサ１１は、当該駅務機器に対して情報の更新が完了したこと（一連の処理が完了したこと）を通知する（Ｓ７７）。
【０１０１】
例えば、券売機５は、処理サーバ１からの処理結果を示す情報に基づいて金額チャージの結果の表示および釣銭の放出などの処理を実行し、その処理の結果を処理サーバ１へ送信する。処理サーバ１のプロセッサ１１は、券売機５から処理の結果を示す情報を受信し、受信した処理結果を示す情報に基づいてデータサーバ２が記憶するＩＤｉに対応する情報を更新する。ＩＤｉに対応する情報の更新が完了すると、処理サーバ１のプロセッサ１１は、情報の更新完了を券売機５へ通知する。これにより、券売機５は、金額チャージ処理が完了したものとする。
【０１０２】
また、駅務機器から登録要求（登録情報）を受信した場合（Ｓ７８、ＹＥＳ）、処理サーバ１のプロセッサ１１は、登録要求と共に受信する登録情報に基づいてデータサーバ２への情報の登録処理を実行する（Ｓ７９）。データサーバ２への登録情報の登録が完了すると、処理サーバ１のプロセッサ１１は、データサーバ２への情報の登録が完了したことを駅務機器へ通知する（Ｓ８０）。
【０１０３】
上記のような第２の動作例によれば、駅務機器は、情報が登録済みＩＣカードについては処理サーバへ駅務処理の一部を依頼し、処理サーバでの処理結果に基づいて駅務処理を実行し、情報が未登録のＩＣカードについては当該ＩＣカードによる駅務処理を実行するとともに、当該ＩＣカードの情報の登録を処理サーバへ要求してデータサーバへの情報の登録を実行する。これに対して、処理サーバは、登録要求を受けた場合はデータサーバへの情報の登録処理を実行し、処理要求を受けた場合は依頼された処理を実行し、その処理結果を駅務機器へ返す。
【０１０４】
このような第２の動作例によって動作する駅務機器と処理サーバとを有する駅務システムでは、利用者が情報をサーバに登録するための特別な手続きをすることなく、既存の駅務処理による運用を継続的に実施しつつ、ＩＣカードに記録されている情報の登録が行える。また、駅務機器での駅務処理時に実施する情報の登録に係る処理を短時間で行えるため、ＩＣカードの情報を登録する場合であっても駅務処理を円滑に行える。
【０１０５】
なお、上記実施形態としては、第１の動作例と第２の動作例とについて説明したが、駅務システムとしては、第１の動作例を適用する駅務機器と第２の動作例を適用する駅務機器とが混在していても良い。例えば、自動改札機には第１の動作例を適用し、自動改札機以外の駅務機器には第２の動作例を適用した駅務システムを実現しても良い。このような駅務システムは、処理サーバが、第１動作例の駅務機器には図７に示すような動作により処理を実行し、第２の動作例の駅務機器に対しては図９に示すような動作により処理を実行するようにすることで実現できる。
【０１０６】
上記のような実施形態に係る駅務システムによれば、利用者や鉄道事業者が特別な手続きをすることなく、乗車券媒体による駅務処理を実行中に当該乗車券媒体に記録されている情報をデータサーバへの登録情報として取集してデータサーバに登録することが可能となる。この結果、通常の駅務処理を継続して実施しつつ、利用者や鉄道事業者への負担が少ない状態で発行済み（利用中）の乗車券媒体に記録されている情報をデータサーバに集約することがきる。
【０１０７】
また、実施形態に係る駅務システムによれば、既存の駅務システムのままでデータサーバへの情報の登録が行えるため、データサーバに情報を登録するための新たな設備投資やデータベースへの情報の登録処理のための人員の確保なども不要である。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０９】
１…処理サーバ、２…データサーバ（データベース）、３…自動改札機（駅務機器）、４…監視盤（外部装置）、５…券売機（駅務機器）、６…定期券発行機（駅務機器）、７…精算機（駅務機器）、８…窓口処理機（駅務機器）、１１…プロセッサ（応答処理手段、登録処理手段）、１４…記憶部、１５…第１通信部（第２の通信手段）、２１…プロセッサ、２４…記憶部、２４ａ…データベース、３１…プロセッサ（判断手段、第１、第２の処理手段、確認手段、判定手段）、３４…記憶部（記憶手段）、３５…通信部（送信手段、第１の通信手段）、３６…カードリーダライタ（読取手段、書込み手段）、５１…プロセッサ（判断手段、第１、第２の処理手段、確認手段、判定手段）、５４…記憶部（記憶手段）、５５…通信部（送信手段、第１の通信手段）、５８…カード処理部（読取手段）。
【図１】
2018025867.tif 000003
【図２】
2018025867.tif 000004
【図３】
2018025867.tif 000005
【図４】
2018025867.tif 000006
【図５】
2018025867.tif 000007
【図６】
2018025867.tif 000008
【図７】
2018025867.tif 000009
【図８】
2018025867.tif 000010
【図９】
2018025867.tif 000011